(57)【要約】【課題】アクセサリーシューとアクセサリーシュー用のフレキシブル基板のアースが、シューホルダーにおける１箇所で取ることができ、部品点数を削減し、省スペースを図ることが可能となる電子機器を提供する。【解決手段】導電性を有するアクセサリーシューと、  前記アクセサリーシューが固定され、導電性を有するシューホルダーと、  前記アクセサリーシューと前記シューホルダーとの間に配置されるフレキシブル基板とを有し、  前記フレキシブル基板には露出したアース用の信号パターンが形成され、前記アース用の信号パターンが前記フレキシブル基板の表裏を覆うように巻かれて、前記アクセサリーシューと前記シューホルダーの両方に接触することで、前記アクセサリーシューと前記シューホルダーとを電気的に接続する構成とする。【選択図】            図８
2010152040.tif 000002
【特許請求の範囲】
【請求項１】
導電性を有するアクセサリーシューと、
前記アクセサリーシューが固定され、導電性を有するシューホルダーと、
前記アクセサリーシューと前記シューホルダーとの間に配置されるフレキシブル基板とを有し、
前記フレキシブル基板には露出したアース用の信号パターンが形成され、前記アース用の信号パターンが前記フレキシブル基板の表裏を覆うように巻かれて、前記アクセサリーシューと前記シューホルダーの両方に接触することで、前記アクセサリーシューと前記シューホルダーとを電気的に接続することを特徴とする電子機器。
【請求項２】
前記アース用の信号パターンと前記アクセサリーシューとの間に弾性を有する導電部材を配置することを特徴とする請求項１に記載の電子機器。
【発明の詳細な説明】
【技術分野】
【０００１】
本発明は、周辺装置や別の電子機器等と電気的に接続するためのコネクタを備えた電子機器に関する。
特に、コネクタがアクセサリーシュー等のようにアース（ＧＮＤ）が必要とされるコネクタを備えた電子機器に用いて好適な電子機器のコネクタ装置およびコネクタ装置用フレキシブル基板の取付方法に関するものである。
【背景技術】
【０００２】
従来、アクセサリーシューとアクセサリー装置の不使用時に、そのアクセサリーシューを覆うアクセサリーシューカバーを備えた電子機器に関して、例えば、特許文献１では、つぎのように構成された電子機器が開示されている。
ここでは、アクセサリーシューカバーの表面に取り付けられる導電性の化粧部材と、この化粧部材とアクセサリーシューとの間に介在されると共に、これら化粧部材とアクセサリーシューとに電気的に接続される導電性のばね部材とが設けられた構造が構成される。
このような構造により、化粧部材に帯電された静電気をばね部材及びアクセサリーシューを介して逃がすことができ、機器本体の内部に収納されている電気部品、電子部品等の不具合を防止するようにされている。
【０００３】
このような種の電子機器のコネクタ装置として挙げられるアクセサリーシューを設けた電子機器においては、アクセサリーシューの不要輻射対策や静電気対策として、アクセサリーシューは機器本体内に設置される導電部材とアース（グランド）を取る必要がある。
また、アクセサリーシュー用のコネクタにおける複数の接点子と対向する電気的接続が可能な接点部を有するアクセサリーシュー用のフレキシブル基板においても、同様の対策を採る必要がある。
すなわち、上記不要輻射対策や静電気対策として、機器本体内に設置される導電部材とアース（グランド）を取る必要がある。
つまり、アクセサリーシューとアクセサリーシュー用のフレキシブル基板との２つを機器本体内に設置される導電部材に、アース（グランド）取りをする必要がある。
【０００４】
これらについて、図９から図１４に示す従来例の構成に基づいて、更に詳細に説明する。
図９に、従来例における電子機器の一例としてアクセサリーシューを設けたデジタルビデオカメラ２１の斜視図を示す。
デジタルビデオカメラ本体の上部後方面にアクセサリーシューカバー２２を有している。
図１０は、アクセサリーシューカバー２２を外した状態のデジタルビデオカメラ２１の斜視図である。
アクセサリーシューカバー２２を外すと金属製のアクセサリーシュー２３が露出される。
【０００５】
図１１は、デジタルビデオカメラ２１の外装カバー２５を外した状態の斜視図である。
アクセサリーシュー２３は４本のビス２４により金属製のシューホルダー２６（導電部材）に対してビス固定されている。
ビスはシューホルダー２６のタップ部２６ａに接合される（図１３参照）。
また、アクセサリーシュー２３とシューホルダー２６の間には、バネ製の導電部材でできた複数の接点子２７ａを有するアクセサリーシュー用のコネクタ２７を挟んで設置されている。
４本のビス２４は、通常、ビスの緩みを防止するために、ねじ部に接着剤を施しており、ビス固定によるアクセサリーシュー２３とシューホルダー２６の電気的な導通は不安定な状態である。
アクセサリーシュー用のコネクタ２７の複数の接点子２７ａは、アクセサリーシュー用のフレキシブル基板２８の接点部（不図示）に圧着して固定される。
アクセサリーシュー用のフレキシブル基板２８はシューホルダー２６にビス３０で１箇所固定され、その箇所においてアクセサリーシュー用のフレキシブル基板２８はシューホルダー２６に対してアース（グランド）取りをしている。
【０００６】
図１２は、図１１に対してアクセサリーシュー２３とビス２４を外した状態の斜視図である。
アクセサリーシュー用のコネクタ２７はビス用の孔２７ｂを４箇所と、導電部材２９（ガスケット）を収納するための孔２７ｃを有している。
なお、ここでのガスケットとは、一般に構造に気密性、水密性を持たせるために用いる固定用シール材をいう。
この例では、芯材にポリウレタンフォームの発泡体を有し周りを導電布で覆われたシール材をいい、導電部材間を電気的に接続する。
この導電部材２９（ガスケット）によりシューホルダー２６とアクセサリーシュー２３を電気的に導通しており（安定的な電気的導通）、その箇所においてアクセサリーシュー２３はシューホルダー２６に対してアース（グランド）取りをしている。
図１３は図１２に対してシューコネクタ２７と導電部材２９（ガスケット）を外した状態の斜視図である。
【０００７】
図１４は図１１のＢ−Ｂ断面を示した断面図である。
アクセサリーシュー用のフレキシブル基板２８はシューホルダー２６にビス３０で１箇所固定され、その箇所においてアクセサリーシュー用のフレキシブル基板２８はシューホルダー２６に対して電気的に接続されている。
また、シューコネクタ２７の孔２７ｃの中に導電部材２９（ガスケット、ハッチング部）を有し、導電部材２９（ガスケット、ハッチング部）の上面側はアクセサリーシュー２３と接触している。
一方、導電部材２９（ガスケット、ハッチング部）の下面側は、シューホルダー２６と接触しており、アクセサリーシュー２３はシューホルダー２６に電気的に接続されている。
【０００８】
このように、上記した従来例では、アクセサリーシュー用のフレキシブル基板２８はシューホルダー２６に対してアース（グランド）取りをしており、またアクセサリーシュー２３はシューホルダー２６に対してアース（グランド）取りをしている構成が採られている。
【特許文献１】特開２００７−２０６４４５号公報
【発明の開示】
【発明が解決しようとする課題】
【０００９】
しかしながら、上記従来例のものにおいては、つぎのような課題を有している。
即ち、上記従来例のものにおいては、前述した不要輻射や静電気対策として、アクセサリーシューのアース（グランド）取りと、アクセサリーシュー用のフレキシブル基板でのアース（グランド）取りと、による２箇所でのアース（グランド）取りが必要とされる。
そのため、このような構成を採るために十分なスペースが必要とされる。
上記したように、従来例においては、アクセサリーシュー用のフレキシブル基板２８はシューホルダー２６に対してアース（グランド）取りをしており、またアクセサリーシュー２３はシューホルダー２６に対してアース（グランド）取りをした構成となっている。
このように、各々アース（グランド）取りをしていることで、つぎのような構成を採ることが必要となる。
例えば、アクセサリーシュー用のフレキシブル基板２８にアクセサリーシュー２３の投影面積以外の箇所にアース（グランド）用の部位が必要となる。また、そのアース（グランド）用の部位にビス固定が必要になる。また、ビス固定を可能とするためのスペースが必要となる。
したがって、これらを構成するために十分なスペースが必要とされる。
【００１０】
本発明は、上記課題を解決し、アクセサリーシューとアクセサリーシュー用のフレキシブル基板のアースが、シューホルダーにおける１箇所で取ることができ、部品点数を削減し、省スペースを図ることが可能となる電子機器を提供することを目的とする。
【課題を解決するための手段】
【００１１】
本発明は、つぎのように構成した電子機器を提供するものである。
本発明の電子機器は、導電性を有するアクセサリーシューと、
前記アクセサリーシューが固定され、導電性を有するシューホルダーと、
前記アクセサリーシューと前記シューホルダーとの間に配置されるフレキシブル基板とを有し、
前記フレキシブル基板には露出したアース用の信号パターンが形成され、前記アース用の信号パターンが前記フレキシブル基板の表裏を覆うように巻かれて、
前記アクセサリーシューと前記シューホルダーの両方に接触することで、前記アクセサリーシューと前記シューホルダーとを電気的に接続することを特徴とする。
【発明の効果】
【００１２】
本発明によれば、アクセサリーシューとフレキシブル基板のアースが、シューホルダーにおける１箇所で取ることができ、部品点数を削減し、省スペースを図ることが可能となる電子機器を実現することができる。
【発明を実施するための最良の形態】
【００１３】
つぎに、本発明の実施形態について説明する。
本発明の実施形態における電子機器は、アクセサリーシューの不要輻射対策や静電気対策を図るため、つぎのように構成されている。
本発明の実施形態における電子機器は、導電性を有するアクセサリーシューと、前記アクセサリーシューが固定され、導電性を有するシューホルダーと、前記アクセサリーシューと前記シューホルダーとの間に配置されるフレキシブル基板とを有し、
前記フレキシブル基板には露出したアース用の信号パターンが形成され、前記アース用の信号パターンが前記フレキシブル基板の表裏を覆うように巻かれて、
前記アクセサリーシューと前記シューホルダーの両方に接触することで、前記アクセサリーシューと前記シューホルダーとを電気的に接続している。
これにより、前記アクセサリーシューと前記フレキシブル基板のアースが、前記シューホルダーにおける１箇所で取ることが可能となる。
【００１４】
そのため、従来例のようにフレキシブル基板においてアース（グランド）部を別途に設けてシューホルダーにビスで固定する必要をなくすことができる。
したがって、簡素な構成で効率よくアース（グランド）が取れ、ビスの削減等による部品点数の削減や、形状の小型化、省スペース化の実施が可能となる。
【００１５】
以下に、本発明の実施形態を図１〜図８を用いて説明する。
図１に、本実施形態における電子機器の一例としてアクセサリーシューを設けたデジタルビデオカメラの斜視図を示す。
図１において、１はデジタルビデオカメラ、２はアクセサリーシューカバーである。
デジタルビデオカメラ本体の上部前面側には、外付けマイクロホンやフラッシュ装置やビデオライト装置等のアクセサリーが着脱自在に装着される金属製で導電性を有するアクセサリーシュー３（図２参照）を、露出させる開口部が設けられている。
アクセサリーシュー３は、レンズ（不図示）の上方に配置されており、通常、開口部は矢印ａの方向にスライド開閉式のアクセサリーシューカバー２により覆われている。
【００１６】
図２は、図１におけるアクセサリーシューカバー２を開けた状態のデジタルビデオカメラの斜視図である。
アクセサリーシューカバー２をスライドさせて開けるとアクセサリーシュー３が露出される。
図３は、図２におけるアクセサリーシューカバー２を開けた状態のデジタルビデオカメラの後方からの斜視図である。
アクセサリーシュー３は４本のビス４によりデジタルビデオカメラ本体１に固定されている。
また、アクセサリーシュー３の内側には、シューコネクタ７（図４参照）におけるバネ製の導電部材で形成された複数の接点子７ａが露出されている。
そして、外付けマイクロホンやフラッシュ装置やビデオライト装置等のアクセサリーが装着されると、複数の接点子７ａはアクセサリーにおける接点子と接触し、電気的に導通される。
【００１７】
図４は、図３におけるデジタルビデオカメラ１の外装カバー５を外した状態の斜視図である。
アクセサリーシュー３は、金属製で導電性を有するシューホルダー６に４本のビス４で固定される構成とされている。
そして、アクセサリーシュー３とシューホルダー６の間には複数の接点子７ａを有するシューコネクタ７とアクセサリーシュー用のフレキシブル基板８が挟まれて固定されている。
４本のビス４は、通常、ビスの緩みを防止するために、ねじ部に接着剤を施しており、ビス固定によるアクセサリーシュー３とシューホルダー６の電気的な導通は不安定な状態である。
なお、シューホルダー６は不図示の箇所においてデジタルビデオカメラ本体１に固定され、電気的にアース（グランド）状態となっている。
【００１８】
図５は、図４におけるアクセサリーシュー３と４本のビス４を外した状態の斜視図である。
シューコネクタ７は４箇のビス用の孔７ｂを有し、導電部材９を収納するための１箇の孔７ｃを有している。
導電部材９は、アクセサリーシュー３とアクセサリーシュー用のフレキシブル基板８と接触し、安定的な電気的導通を取る構成となっている。尚、導電部材９は、ゴムのような弾性的な導電部材でもよいし、導電性のバネやガスケットなどであってもよい。
【００１９】
図６は、図５におけるシューコネクタ７と導電部材９を外した状態の斜視図である。
アクセサリーシュー用のフレキシブル基板８は、シューホルダー６に対して一対の位置決め６ａと２箇所の位規制リブ６ｂにより位置を規制され、
かつ、シューホルダー６とフレキシブル基板８の間にある両面テープ（不図示）により、仮固定の状態で保持される。
アクセサリーシュー用のフレキシブル基板８は、接点部８ａを有し、前述の４本のビス４よりアクセサリーシュー３がシュ−ホルダー６のビスタップ部６ｃ（４箇所）に固定されることにより、シューコネクタ７における複数の接点子７ａと圧着されて固定される。
【００２０】
図７に示すように、アクセサリーシュー用のフレキシブル基板８は、信号パターン８ｂを片面側のみ配置したフレキシブル基板で構成されている。
そして、所定の位置に信号パターン８ｂから短冊状に形成されたアース（グランド）用の信号パターンを露出（図７クロスハッチング部）させた延出部８ｃを有する。
フレキシブル基板８は、上記したアース（グランド）用の信号パターンが外側になるように信号パターン８ｂに略１周巻きつけられた巻回部１０を有する。
このようにアース用の信号パターンが外側になるように巻回した巻回部１０を有することで、アクセサリーシュー用のフレキシブル基板８の表裏面に導通箇所を設けることができる。
これにより、アクセサリーシュー用のフレキシブル基板８の裏面側は、巻回部１０と接してシューホルダー６と電気的な導通を取ることが可能となり、アース（グランド）を取ることができる。
一方、アクセサリーシュー用のフレキシブル基板８の表面側も、巻回部１０を介して導電部材９と接することが可能となる。
そのため、アクセサリーシュー３は、導電部材９を介してアクセサリーシュー用のフレキシブル基板８と電気的な導通を取ることができ、さらには、シューホルダー６と電気的な導通を取ることが可能となる。
以上のような構成により、アクセサリーシュー３とアクセサリーシュー用のフレキシブル基板８は、シューホルダー６に対して１箇所でアース（グランド）取りをすることができる。
なお、シューコネクタ用のフレキシブル基板の接続端子８ｄは、メイン基板上の接続コネクタ（不図示）に接続される。
【００２１】
図８は、図３のＡ−Ａ断面を示した断面図である。
シューコネクタ７の孔７ｃの中に導電部材９（ハッチング部）を有し、導電部材９の上面側はアクセサリーシュー３と接触する。
一方、導電部材９の下面側はアクセサリーシュー用のフレキシブル基板８の巻回部１０上面側に接触し、巻回部１０下面側はシューホルダー６と接触している。
【００２２】
以上の実施形態の説明では、電子機器の具体例としてデジタルビデオカメラについて説明したが、本発明はこれらに限定されるものではない。
例えば、上記したようなコネクタを備えた電子機器であれば、デジタルスチルカメラ、パーソナルコンピュータ、テレビ、携帯電話、その他各種の電子機器に適用できるものである。
また、アクセサリーシュー用のフレキシブル基板の延出部の形状と巻回方向についても、上記実施形態の構成に限定されるものではない。
例えば、円形その他の形状であってもよいし、また、延出部がフレキシブル基板の信号パターンの左側に形成されていてもよい。
【図面の簡単な説明】
【００２３】
【図１】本発明の実施形態における電子機器の一例としてアクセサリーシューを設けたデジタルビデオカメラを説明する斜視図。
【図２】本発明の実施形態の図１におけるアクセサリーシューカバーを開けた状態のデジタルビデオカメラの斜視図。
【図３】本発明の実施形態の図２おけるアクセサリーシューカバーを開けた状態のデジタルビデオカメラの後方からの斜視図。
【図４】本発明の実施形態の図３におけるデジタルビデオカメラの外装カバーを外した状態の斜視図。
【図５】本発明の実施形態の図４におけるアクセサリーシューと４本のビスを外した状態の斜視図。
【図６】図５に対してシューコネクタと導電部材を外した状態の斜視図。
【図７】本発明の実施形態におけるアクセサリーシュー用のフレキシブル基板の展開図。
【図８】本発明の実施形態の図３におけるＡ−Ａ断面を示した断面図。
【図９】従来例における電子機器の一例としてアクセサリーシューを設けたデジタルビデオカメラを説明する斜視図。
【図１０】従来例の図９におけるアクセサリーシューカバーを外した状態のデジタルビデオカメラの斜視図。
【図１１】従来例の図１０におけるデジタルビデオカメラの外装カバーを外した状態の斜視図。
【図１２】従来例の図１１におけるアクセサリーシューとビスを外した状態の斜視図。
【図１３】従来例の図１２におけるシューコネクタと導電部材を外した状態の斜視図。
【図１４】従来例の図１１におけるＢ−Ｂ断面を示した断面図。
【符号の説明】
【００２４】
１：デジタルビデオカメラ
２：アクセサリーシューカバー
３：アクセサリーシュー
４：ビス
５：外装カバー
６：シューホルダー
６ａ：位置決め
６ｂ：位置規制リブ
６ｃ、２６ａ：ビス用タップ
７、２７：シューコネクタ
７ａ、２７ａ：接点子
７ｂ、２７ｂ：ビス用孔
７ｃ、２７ｃ：導電部材用孔
８、２８：フレキシブル基板
９、２９：導電部材
１０：巻回部
３０：フレキシブル基板上のアース用ビス
【図１】
2010152040.tif 000003
【図２】
2010152040.tif 000004
【図３】
2010152040.tif 000005
【図４】
2010152040.tif 000006
【図５】
2010152040.tif 000007
【図６】
2010152040.tif 000008
【図７】
2010152040.tif 000009
【図８】
2010152040.tif 000010
【図９】
2010152040.tif 000011
【図１０】
2010152040.tif 000012
【図１１】
2010152040.tif 000013
【図１２】
2010152040.tif 000014
【図１３】
2010152040.tif 000015
【図１４】
2010152040.tif 000016